(57)【要約】【課題】利用者にとって操作性が良く、高い機密性を確保した画像形成装置、画像処理プログラム及び画像処理プログラムを格納した記憶媒体を提供する。【解決手段】補助記憶装置２６に、利用者を特定する利用者特定情報と該利用者が利用可能な機能とを対応づけて登録する登録手段５１と、無線により送出された当該画像形成装置の利用に関する利用者情報の受け付けを定期的に検知する検知手段５２と、検知手段５２で受け付けた利用者情報に含まれる利用者特定情報と登録手段５１で登録された利用者特定情報とに基づいて表示パネルに当該利用者の利用可能な機能を表示させる機能表示手段５５とを備えた画像形成装置である。【選択図】図２
2007214700.tif 000002
【特許請求の範囲】
【請求項１】
記憶装置と表示パネルを有する画像形成装置であって、
前記記憶装置に、利用者を特定する利用者特定情報と該利用者が利用可能な機能とを対応づけて登録する登録手段と、
無線により送出された当該画像形成装置の利用に関する利用者情報の受け付けを定期的に検知する検知手段と、
前記検知手段で受け付けた利用者情報に含まれる利用者特定情報と前記登録手段で登録された利用者特定情報とに基づいて表示パネルに当該利用者の利用可能な機能を表示させる機能表示手段とを備えたことを特徴とする画像形成装置。
【請求項２】
前記利用者情報は、利用者を一意に識別する情報を有することを特徴とする請求項１に記載された画像形成装置。
【請求項３】
前記利用者情報は、当該利用者により予め作成された画像形成装置で実行させるジョブに関するデータを有することを特徴とする請求項１に記載された画像形成装置。
【請求項４】
前記利用者情報は、非接触ICカードに格納された情報であることを特徴とする請求項１に記載の画像形成装置。
【請求項５】
前記ジョブに関するデータは、ネットワークを介して接続されている画像形成装置に関わるサーバに格納されていることを特徴とする請求項３に記載された画像形成装置。
【請求項６】
当該画像形成装置の利用者を認証する認証手段を有し、前記認証手段は、前記検知手段で受け付けた利用者特定情報と前記登録手段で登録された利用者特定情報とに基づいて認証を行うことを特徴とする請求項１に記載された画像形成装置。
【請求項７】
当該画像形成装置の利用者の受け付けを変更する受け付け変更手段を有し、前記受け付け変更手段は、一の利用者特定情報の受け付け中に他の利用者特定情報を受け付けたときには、該他の利用者特定情報の受け付けのみを許可する旨の表示をさせることを特徴とする請求項１に記載された画像形成装置。
【請求項８】
ネットワーク接続された記憶装置を有する画像形成装置であって、
ネットワークを介して送信される印刷データを受信する受信手段と、
前記記憶装置に、利用者を特定する利用者特定情報と該利用者が利用可能な機能とを対応づけて登録する登録手段と、
無線により送出された当該画像形成装置の利用に関する利用者情報の受け付けを定期的に検知する検知手段と、
前記検知手段で受け付けた利用者特定情報と前記登録手段で登録された利用者特定情報とに基づいて前記受信手段によって受信した印刷データを印刷する印刷手段とを備えたことを特徴とする画像形成装置。
【請求項９】
記憶装置と表示パネルを有する画像形成装置の画像処理プログラムであって、
コンピュータを、
前記記憶装置に、利用者を特定する利用者特定情報と該利用者が利用可能な機能とを対応づけて登録する登録手段と、
無線により送出された当該画像形成装置の利用に関する利用者情報の受け付けを定期的に検知する検知手段と、
前記検知手段で受け付けた利用者特定情報と前記登録手段で登録された利用者特定情報とに基づいて表示パネルに当該利用者の利用可能な機能を表示させる機能表示手段として機能させる画像処理プログラム。
【請求項１０】
ネットワーク接続された記憶装置を有する画像形成装置の画像処理プログラムであって、
コンピュータを、
ネットワークを介して送信される印刷データを受信する受信手段と、
前記記憶装置に、利用者を特定する利用者特定情報と該利用者が利用可能な機能とを対応づけて登録する登録手段と、
無線により送出された当該画像形成装置の利用に関する利用者情報の受け付けを定期的に検知する検知手段と、
前記検知手段で受け付けた利用者特定情報と前記登録手段で登録された利用者特定情報とに基づいて前記受信手段によって受信した印刷データを印刷する印刷手段として機能させる画像処理プログラム。
【請求項１１】
請求項９、又は１０に記載の画像処理プログラムを格納した記憶媒体。
【発明の詳細な説明】
【技術分野】
【０００１】
本発明は、画像形成装置、画像処理プログラム及び画像処理プログラムを格納した記憶媒体に関するものである。
【背景技術】
【０００２】
以前は、情報漏洩に対応し機密性の高いシステムを運用するため、利用者を特定する利用者IDやパスワードを使用していた。しかし、近年では個人情報や企業内情報の漏洩や不正使用などが問題となり、暗号化技術を使ったデータ管理、ICカードや身体的特徴で利用者を特定するなど、より機密性の高いシステムが求められ、機密性向上のためのシステム改善が進んでいる。
【０００３】
その中で、画像形成装置は複数の利用者にとって共有の装置であるため、上記システム改善をする上で、機密性の高い装置である必要がある。
【０００４】
そのため、画像形成装置に対して、身体的特徴を抽出し判断することで、利用者本人が画像形成装置に対峙しているかどうかを判断し、機密性を高めているものもある(例えば、特許文献１〜３を参照。)。
【特許文献１】特開２００５−１０９２４号公報
【特許文献２】特開２００４−３２８７２５号公報
【特許文献３】特開２００３−１４１０８８号公報
【発明の開示】
【発明が解決しようとする課題】
【０００５】
しかしながら、上述した身体的特徴を使用し個人を特定する場合には、システムへのログオン時は特定できるが、画像形成装置と利用者が対峙している間、常時利用者本人であるかどうかを判断することは難しい。
【０００６】
また、身体的特徴を正確に判断するため、利用者は身体的特徴情報入力装置の入力特性に合わせて利用しなければいけないため、利用者にとって操作性が悪い。
【０００７】
また、ICカードの場合には、ICカードリーダーからのICカードの抜き忘れや、抜き忘れ防止のタイマー機能が搭載されている装置であっても、その機能が働くまでの空白の時間内などは、高い機密性を確保できない。
【０００８】
本発明は、上記従来技術の問題点を鑑み、利用者にとって操作性が良く、高い機密性を確保した画像形性装置、画像処理プログラム及び画像処理プログラムを格納した記憶媒体を提供することを目的とする。
【課題を解決するための手段】
【０００９】
上記目的を達成するために、本発明の画像形成装置は、記憶装置と表示パネルを有する画像形成装置であって、前記記憶装置に、利用者を特定する利用者特定情報と該利用者が利用可能な機能とを対応づけて登録する登録手段と、無線により送出された当該画像形成装置の利用に関する利用者情報の受け付けを定期的に検知する検知手段と、前記検知手段で受け付けた利用者情報に含まれる利用者特定情報と前記登録手段で登録された利用者特定情報とに基づいて表示パネルに当該利用者の利用可能な機能を表示させる機能表示手段とを備えるように構成することができる。
【００１０】
これにより、画像形成装置は、利用者にとって操作性が良く、高い機密性を確保することができる。
【００１１】
また、上記目的を達成するために、本発明の画像形成装置は、前記利用者情報は利用者を一意に識別する情報を有するように構成することができる。
【００１２】
これによって、画像形成装置は、利用者を一意に識別し、特定することができる。
【００１３】
また、上記目的を達成するために、本発明の画像形成装置は、前記利用者情報は当該利用者により予め作成された画像形成装置で実行させるジョブに関するデータを有するように構成することができる。
【００１４】
これによって、画像形成装置は、利用者が実行するジョブに関する情報を取得することができる。
【００１５】
また、上記目的を達成するために、本発明の画像形成装置は、前記利用者情報は非接触ICカードに格納するように構成することができる。
【００１６】
これによって、利用者は、容易に利用者情報を携行することができる。
【００１７】
また、上記目的を達成するために、本発明の画像形成装置は、前記ジョブに関するデータはネットワークを介して接続されている画像形成装置に関わるサーバに格納するように構成することができる。
【００１８】
これによって、画像形成装置を含む画像処理システムの管理者は、利用者のジョブに関するデータをサーバで管理することができる。
【００１９】
また、上記目的を達成するため、本発明の画像形成装置は、当該画像形成装置の利用者を認証する認証手段を有し、前記認証手段は、前記検知手段で受け付けた利用者特定情報と前記登録手段で登録された利用者特定情報とに基づいて認証を行うように構成することができる。
【００２０】
これによって、画像形成装置は、対峙する利用者が該画像形成装置を利用可能かどうか判定し、認証することができる。
【００２１】
また、上記目的を達成するため、本発明の画像形成装置は、当該画像形成装置の利用者の受け付けを変更する受け付け変更手段を有し、前記受け付け変更手段は、一の利用者特定情報の受け付け中に他の利用者特定情報を受け付けたときには、該他の利用者特定情報の受け付けのみを許可する旨の表示をさせるように構成することができる。
【００２２】
これによって、画像形成装置は、該画像形成装置の利用を許可する利用者の変更を、利用者に促すことができる。
【００２３】
また、上記目的を達成するため、本発明の画像形成装置は、ネットワーク接続された記憶装置を有する画像形成装置であって、ネットワークを介して送信される印刷データを受信する受信手段と、前記記憶装置に、利用者を特定する利用者特定情報と該利用者が利用可能な機能とを対応づけて登録する登録手段と、無線により送出された当該画像形成装置の利用に関する利用者情報の受け付けを定期的に検知する検知手段と、前記検知手段で受け付けた利用者特定情報と前記登録手段で登録された利用者特定情報とに基づいて前記受信手段によって受信した印刷データを印刷する印刷手段とを備えるように構成することができる。
【００２４】
これによって、ネットワークに接続された画像形成装置は、利用者にとって、印刷実行時の操作性が良く、高い機密性を確保することができる。
【００２５】
また、上記目的を達成するため、本発明の画像処理プログラムは、請求項１の画像形成装置における各手段を情報処理装置が実行できる形式で記述することができる。
【００２６】
これによって、画像処理プログラムは、請求項１の画像形成装置における各手段を情報処理装置で実行することができる。
【００２７】
また、上記目的を達成するため、本発明の画像処理プログラムは、請求項８の画像形成装置における各手段を情報処理装置が実行できる形式で記述することができる。
【００２８】
これによって、画像処理プログラムは、請求項８の画像形成装置における各手段を情報処理装置で実行することができる。
【００２９】
また、上記目的を達成するため、本発明の記憶媒体は、請求項９、又は１０に記載の画像処理プログラムを格納するよう構成することができる。
【００３０】
これによって、画像形成装置は、記憶媒体から実行したい画像処理プログラムを読み出し、実行することができる。
【発明の効果】
【００３１】
本発明は、利用者にとって操作性が良く、高い機密性を確保した画像形性装置、画像処理プログラム及び画像処理プログラムを格納した記憶媒体を提供することができる。
【発明を実施するための最良の形態】
【００３２】
以下、本発明の好適な実施の形態について、図面を用いて詳細に説明する。
【実施例１】
【００３３】
図１は、本発明の実施例１に係る画像形成装置２０のハードウェア構成の例を示すブロック図である。
【００３４】
図１において、実施例１に係る画像形成装置２０は、ネットワークI/F２１、制御部２２、表示部２３、入力部２４、主記憶部２５、補助記憶装置２６、外部装置I/F２７、印刷部２８を備えている。
【００３５】
ネットワークI/F２１は、後述する図８で示す通り、LAN（Local Area Network）、公衆回線および無線回線等のネットワーク４０上の通信機器（「ホストPC１０，１０ｎ」、「サーバ３０」を含む。）との間で、印刷データや印刷ジョブに関する情報（「利用者情報」を含む。）等を双方向通信によって授受するための通信用インターフェースである。
【００３６】
制御部２２は、CPU（Central Processing Unit）とASIC（Application Specific Integrated Circuit）を備え、画像形成装置２０の有する機能を実現するためのプログラムを実行し、システムバスを介して画像形成装置全体の動作を制御するためのものである。
【００３７】
表示部２３は、液晶表示機器等を備え、印刷ジョブに関する情報、並びに画像形成装置２０の駆動条件、入力条件、装置状態等の各種情報を画面表示すると共に、該画像処理システムにおける利用者情報登録ガイダンス、利用可能機能の内容、利用者への警告等を表示するためのものである。また、MFP（Multi-Function Printer）においては、表示部２３がタッチパネル機能を有している。
【００３８】
入力部２４は、テンキー、各種ファンクションキー、スタート/ストップキー等を備え、該画像形成装置２０の操作と共に、該画像処理システムにおける利用者情報登録設定の入力操作等を行うためのものである。また、MFPにおいては、表示部２３がタッチパネル機能を有しており、付属のタッチペン等で、パネル上に表示された機能ボタンを選択することでも、該画像形成装置２０の操作と共に、該画像処理システムにおける利用者情報登録設定の入力操作等を行うことができる。
【００３９】
主記憶部２５は、ROM（Read Only Memory）とRAM（Random Access Memory）を備え、制御部２２によって実行されるプログラムをROMに格納し、プログラム実行時に、ROMに記憶されたプログラムをRAMに一時的に格納すると共にプログラムで使用するデータをRAMに一時的に記憶するようにしている。
【００４０】
補助記憶装置２６は、ハードディスク（Hard Disk）等の記憶媒体であり、該画像処理システムにおいて扱われるデータ、実行プログラム及び該画像形成装置２０を利用する利用者情報等を記憶するためものである。
【００４１】
外部装置I/F２７は、USB（Universal Serial Bus）、IEEE１３９４（Institute of Electrical and Electronic Engineers １３９４）等のデータ転送路２９aを介して、非接触IC（Integrated Circuit）カードリーダー等の様々な外部装置２９（「USBデバイス」を含む。）と該画像形成装置２０との間で、データを授受するための通信用インターフェースである。
【００４２】
印刷部２８は、制御部２２で実行されるプログラムによって、印刷用紙に印刷するプロッタであって、各種サイズの印刷用紙を収納した給紙カセット部と、給紙カセット部に収納された印刷用紙を取り出して画像形成部へ給紙する給紙搬送部と、印刷情報から画像を形成し、印刷用紙に印刷（転写・定着）する画像形成部と、印刷後の印刷用紙３１を排紙トレイ等に排紙する俳紙部と、前述した各部を駆動する駆動部と、この駆動部を駆動制御する印刷制御部とを備えている。
【００４３】
図２は、本発明の実施例１に係る主要部の構成を示すブロック図である。
【００４４】
主要部の構成は、機能的に、利用者情報登録手段５１、検知手段５２、認証手段５３、利用者変更受け付け手段５４、利用者可能機能表示手段５５に分かれている。
【００４５】
利用者情報登録手段５１は、利用者が登録済みかどうかを判断する手段を備えており、その判断結果から、未登録の利用者が該画像形成装置２０を利用するため、利用者が該画像形成装置２０を使用する前に、表示部２３に表示された利用者情報登録ガイダンスに従い、入力部２４が有するキーを操作することによって、管理者が予め利用者情報（「利用者特定情報」、「利用者利用可能機能情報」を含む。）を、該画像形成装置２０の補助記憶装置２６に登録するものである。
【００４６】
登録される利用者情報の詳細については図３に示す。
【００４７】
該画像形成装置２０の補助記憶装置２６へ格納される利用者情報のデータ形式は、図３のような形式となっており、利用者毎に、利用者ID５１a、パスワード５１b及び利用者利用可能機能情報５１cが対応付けられ、構成されている。
【００４８】
利用者ID５１a、パスワード５１bは、該画像形成装置２０へのログオン時に、利用者を一意に識別する情報として使用され、利用者利用可能機能情報５１cは、利用者が該画像形成装置２０に搭載されている各種機能（「白黒コピー」、「カラーコピー」、「プリンタ」、「FAX」を含む。）の内、利用可能な機能を示す情報として使用される。
【００４９】
よって、利用者情報登録手段５１では、利用者特定情報５１a、５１bと利用者利用可能機能情報５１cとが、利用者毎に関連付けられたデータ形式で、該画像形成装置２０内の補助記憶装置２６に格納することで、利用者情報５１a〜cを該画像形成装置２０に登録する。
【００５０】
検知手段５２は、データ転送経路２９aを介して該画像形成装置２０に接続されている非接触ICカードリーダー等の様々な外部装置２９によって、該画像形成装置に対峙した利用者を常時検知し、検知した場合、利用者が携行しているICカード上のICタグに格納された利用者情報（「利用者特定情報」、「印刷ジョブに関するデータ」を含む。）を、外部装置２９であるICカードリーダーから無線回線を通して読み取るものである。
【００５１】
これによって、利用者は、該画像形成装置２０を利用する際、ICカードを携行し、該画像形成装置２０に接続されるICカードリーダーが読み取れる範囲に近づくだけで、該画像形成装置２０へログオンすることが可能となる。
【００５２】
ICカードリーダーから読み取られる利用者情報の詳細については図４に示す。
【００５３】
ICカードのICタグに格納される利用者情報のデータ形式は、図４のような形式となっており、利用者ID５２a、パスワード５２b及びデータ数、ファイル名で、構成されている。
【００５４】
利用者ID５２a、パスワード５２bは、該画像形成装置２０へのログオン時に、利用者を一意に識別する情報として使用され、データ数５２c、ファイル名５２dは、利用者が該画像形成装置２０で実行させたい印刷ジョブに関する情報として使用される。前記ファイル名５２dとは、利用者が実行したい印刷データのファイル名を示し、前記データ数５２cは、実行したい印刷データの数を示している。
【００５５】
また、利用者情報５２a〜dのデータは、利用者が使用しているホストPCにUSB等で接続可能なICタグライター等を利用して、個人管理タグ形式で書き込みを行う。
【００５６】
認証手段５３は、利用者情報登録手段５１で該画像形成装置２０に予め登録された利用者特定情報５１aと５１b、検知手段５２で検知し読み取られた利用者特定情報５２aと５２b、とを比較判定し、対峙している利用者が該画像形成装置２０を利用可能かどうか判断するものである。
【００５７】
認証手段５３により比較判定された結果、利用者情報登録手段５１で該画像形成装置２０に予め登録された利用者特定情報５１aと５１b、検知手段５２で検知し読み取られた利用者特定情報５２aと５２b、とが一致した場合、対峙している利用者が該画像形成装置２０を利用しても可能であると判断、それ以外は、利用不可能と判断するものである。
【００５８】
利用者変更受け付け手段５４は、該画像形成装置２０に対峙する利用者が変わった場合、今まで利用可能であった利用者の利用許可を破棄し、現在対峙している利用者へ、認証手段５３により利用対象を切り替えるものである。
【００５９】
利用可能機能表示手段５５は、検知手段５２によって、該画像形成装置に対峙している利用者を検知し、認証手段５３によって、該画像形成装置２０を利用可能と判断された利用者に対し、利用者情報登録手段５１において登録されている利用者利用可能機能情報５１cに基づき、該利用者が利用できる機能を表示部２３へ表示するものである。
【００６０】
また、該画像形成装置２０に対峙する利用者が変わった場合、利用者変更受け付け手段５４によって、変更後の該利用者が利用できる機能表示へ表示部２３に表示される内容を切り替える。
【００６１】
また、該画像形成装置２０に対して、対峙する利用者が存在せず利用者待ちの状態の場合や、複数の利用者が対峙して、一利用者に特定できない状態等の場合は、表示部２３へ利用者待ちの画面を表示する。
【００６２】
図５は、本発明の実施例１に係る該画像形成装置２０に、予め登録しておく利用者情報５１a〜cの利用者情報登録手段５１の処理を示すフローチャートである。
【００６３】
また、図５に示すプログラムは、該画像形成装置２０に未登録の利用者がログオンする必要がある場合、制御部２２において、ROMからRAM上にプログラムが読み出され、実行されるものである。
【００６４】
そのため、該画像形成装置２０の制御プログラムのように、制御部２２及び主記憶部２５のRAM上等に常駐して動作しているプログラムではない。
【００６５】
利用者情報登録手段５１は、まず、登録しようとする利用者情報が、すでに登録されていないかを判定する（S１０１）。
【００６６】
利用者情報登録手段５１は、登録済み利用者の判定結果が、登録済みの場合（S１０１が肯定結果。）、対象となるデータを、該画像形成装置２０の補助記憶装置２６へ保存し（S１０２）、処理を終了する。
【００６７】
また、利用者情報登録手段５１は、登録済み利用者の判定結果が、未登録の場合（S１０１が否定結果。）、利用者特定情報である利用者ID５１aを、RAM上へ一時的に格納（S１０３）し、パスワード５１bを、RAM上へ一時的に格納（S１０４）、該利用者に対応付ける利用可能機能の各種情報を、RAM上へ格納（S１０５）する。
【００６８】
最後に、利用者情報登録手段５１は、再度、登録の対象である利用者が、すでに登録されていないことを、登録済み利用者の判定結果で確認し、該画像形成装置２０の補助記憶装置２６へ、RAM上のデータを保存（S１０２）し、新規利用者情報を登録する。
【００６９】
利用者情報登録手段５１は、表示部２３に表示された利用者情報登録ガイダンスに従って、入力部２４が有するキー及びタッチパネル上の機能ボタンから、利用者特定情報である利用者ID５１a、パスワード５１bを入力することで、登録済みの利用者を判定（S１０１）することができる。
【００７０】
図６は、本発明の実施例１に係る利用可能表示手段５５の処理を示すフローチャートである。
【００７１】
また、図６に示すプログラムは、上述の図２における説明の通り、該画像形成装置２０に対峙する利用者を検知手段５２において常時検知し、認証手段５３で利用可能かどうかを判定し、利用者変更受け付け手段５４に従って、対峙している利用者に対して利用可能機能を表示するものである。
【００７２】
そのため、コピーアプリケーションプログラム等のように、制御部２２においてタスク管理され、主記憶部２５のRAM上等に常駐して動作しており、他の実行プログラム等と並列処理されている。
【００７３】
まず、該画像形成装置２０に電源が投入されると、制御部２２によって、該画像形成装置２０にICカードを読み取ることが可能な外部装置２９が接続されていることを確認し、ROM内に格納された図６に示すプログラムがバックグランドで実行される。外部装置２９が接続されていない場合は、制御部２２において、図６のプログラムを起動しない。
【００７４】
また、該画像形成装置に電源が投入された後に、ICカードを読み取ることのできる外部装置２９が接続された場合は、電源投入時同様、制御部２２によって図６に示すプログラムがバックグランドにて実行される。
【００７５】
利用可能表示手段５５は、対峙する利用者の許可状態を示すフラグ（ONは利用可、OFFは利用不可を意味する。）を初期値化するためOFFに設定する（S２０１）。
【００７６】
次に、利用者情報登録手段５１は、検知手段５２により、該画像形成装置２０に対峙する利用者を検知し、接続された外部装置２９からの利用者情報５２a〜dの取得するのを待つ（S２０２）。
【００７７】
この間、利用可能表示手段５５は、検知手段５２により、対峙する利用者が検知されない場合（S２０２が否定結果。）、検知手段５２により、再度、利用者待ちの状態（S２０２）へ戻る。
【００７８】
その際、表示部２３には、該画像形成装置の現状設定により優先アプリケーション（「コピー」、「プリンタ」、「FAX」のいずれか。）の画面が表示されている。
【００７９】
また、利用可能表示手段５５は、検知手段５２によって、対峙する利用者を検知した場合（S２０２が肯定結果。）、検知手段５２により取得した、利用者特定情報である利用者ID５２aとパスワード５２bを、利用者情報登録手段５１により、該画像形成装置２０の補助記憶装置２６へ、予め登録されている利用者特定情報である利用者ID５１aとパスワード５１bと照合する（S２０３）。
【００８０】
この際、表示部２３には、優先アプリケーションの画面が表示されている。
【００８１】
利用可能表示手段５５は、登録済み利用者情報との照合の結果、利用者が未登録の場合（S２０３が否定結果。）、表示部２３に、これまでのような優先アプリケーション画面ではなく、利用者待ちを示すログオン画面が表示（S２１０）する。
【００８２】
このことによって、利用可能表示手段５５は、対峙している利用者に対し、利用不可状態を認知させる。
【００８３】
その後、利用可能表示手段５５は、利用者の利用許可状態を示すフラグの初期値化（S２０１）を実行し、検知手段５２により、再度、利用者待ちの状態（S２０２）へ戻る。
【００８４】
また、利用可能表示手段５５は、登録済み利用者情報との照合の結果、利用者が登録済みの場合（S２０３が肯定結果。）、検知手段５２により取得した、利用者特定情報である利用者ID５２aとパスワード５２bを、RAM上へ一時的に格納する（S２０４）。
【００８５】
次に、利用可能表示手段５５は、誤検知の防止や該利用者が該画像形成装置から即座に離れ、他の利用者が対峙した場合の利用者変更を受け付けるため、再度、検知手段５２により、利用者待ちの状態（S２０５）へ戻り、利用者の対峙状態を監視する。
【００８６】
利用可能表示手段５５は、検知手段５２により、対峙する利用者が検知されない場合（S２０５が否定結果。）、利用者の利用許可状態を示すフラグをOFFに設定（S２１１）し、再度、登録済み利用者情報と照合（S２０３）を行い、照合結果が肯定結果（YES）であれば、利用者特定情報５２a、５２bを、RAM上へ格納（S２０４）する。
【００８７】
次に、利用可能表示手段５５は、検知手段５２により、再度、利用者待ちの状態（S２０５）へ戻り、利用者の対峙状態を監視する。
【００８８】
これによって、利用可能表示手段５５は、１回目の検知結果だけで、利用が許可されず、誤検知や対峙する利用者が該画像形成装置から即座に離れた場合等の不正利用を防止することができる。
【００８９】
また、利用可能表示手段５５は、検知手段５２により、対峙する利用者を検知した場合（S２０５が肯定結果。）、認証手段５３により、利用者の認証を行う（S２０６）。
【００９０】
利用可能表示手段５５は、認証手段５３による認証判定の結果、一致していないと判定した場合（S２０６が否定結果。）、利用者変更受け付け手段５４により、これまでの利用者に対して、利用許可を破棄し、該画像形成装置２０の利用を終了する（S２１２）。
【００９１】
その後、利用可能表示手段５５は、新しい利用者の利用者特定情報５２a、５２bを基に、登録済み利用者情報と照合（S２０３）し、判定結果が肯定（YES）の結果となった場合、新しい利用者特定情報５２a、５２bを、RAM上に格納（S２０４）し、検知手段５２により、再度、利用者待ちの状態（S２０５）へ戻り、利用者の対峙状態を監視する。
【００９２】
また、利用可能表示手段５５は、認証手段５３による認証判定の結果、一致していると判定した場合（S２０６が肯定結果。）、該画像形成装置２０に対峙する利用者が複数存在した場合に対し、特定の利用者に、該画像形成装置２０の利用許可を限定するため、検知手段５２により、複数の利用者を検知したかどうかの判定を行う（S２０７）。
【００９３】
利用可能表示手段５５は、検知手段５２による複数利用者の判定の結果、複数の利用者を検知した場合（S２０７が否定結果。）、該画像形成装置２０に対峙した複数の利用者が存在することに対し、表示部２３に、利用者が特定できないことを警告する内容を表示する（S２１３）。
【００９４】
次に、利用可能表示手段５５は、現在、使用中の利用者の許可状態を示すフラグをペンディング（S２１４）し、検知手段５２により、利用者が一意に特定できるまで、再度、利用者待ちの状態（S２０５）へ戻り、利用者の対峙状態を監視する。
【００９５】
これによって、利用可能表示手段５５は、複数の利用者に対しては、利用許可されず、誤検知や対峙する複数の利用者による不正利用を防止することができる。
【００９６】
また、利用可能表示手段５５は、検知手段５２による複数利用者の判定の結果、複数の利用者が検知されなかった場合（S２０７が否定結果。）、対峙している利用者が一意に特定されたと見なし、利用者に対して、許可状態を示すフラグをONに設定（S２０８）し、該画像形成装置２０の補助記憶装置２６に格納してある、利用者の利用可能な機能に関する情報５１cのデータを参照後、表示部２３に利用者の利用可能機能画面を表示する（S２０９）。
【００９７】
次に、利用可能表示手段５５は、検知手段５２により、再度、利用者待ちの状態（S２０５）へ戻り、利用者の対峙状態を監視する。
【００９８】
図７は、本発明の実施例１に係るオートリセット機能実行時の一部の処理を示すフローチャートである。
【００９９】
MFPの場合、該画像形成装置２０を、利用者が利用しているかどうかを判断する方法として、入力部２４が有する各種キー及び表示部２３が有するタッチパネルを、該画像形成装置２０の設定により予め設定された時間内に、利用者が押下しなかった場合、使用していない状態と見なし、該画像形成装置２０をオートリセットする機能が備えられている。この機能は、該画像形成装置２０の待機時の消費電力を軽減することを目的とした機能である。
【０１００】
また、図７に示すプログラムは、上述のオートリセット時に、利用者の利用許可状態を示すフラグを初期化するものである。
【０１０１】
そのため、該画像形成装置２０の入力部２４を管理するプログラム内で、利用者の利用許可状態を示すフラグの初期化を実行する。
【０１０２】
オートリセット機能は、まず、利用者が、入力部２４が有する各種キー及び表示部２３が有するタッチパネルを押下していない状態を、タイマーにて計測することから、計測用のタイマーをスタートさせる（S３０１）。
【０１０３】
次に、オートリセット機能は、タイマーがスタートして、一定時間が過ぎるまでに、入力部２４が有する各種キー及び表示部２３が有するタッチパネルが押下されたかどうかを判断する（S３０２）。
【０１０４】
オートリセット機能は、一定時間が過ぎるまでに、入力部２４が有する各種キー及び表示部２３が有するタッチパネルが押下されたかどうかの判断の結果、押下された場合（S３０２が肯定結果。）、該画像形成装置２０が利用されていると見なし、計測用のタイマーのカウントを０に戻し、計測用のタイマーをスタート（S３０１）させ、再度、入力部２４が有する各種キー及び表示部２３が有するタッチパネルが押下されたかどうかの判定を繰り返す。
【０１０５】
また、オートリセット機能は、一定時間が過ぎるまでに、入力部２４が有する各種キー及び表示部２３が有するタッチパネルが、押下されなかった場合（S３０２が否定結果。）、計測用のタイマーで計測した時間の値から、該画像形成装置２０の設定において、予め設定されている一定時間の値を比較し、タイムアウトしているかどうかを判断する（S３０３）。
【０１０６】
オートリセット機能は、計測用のタイマーで計測した時間の値から、該画像形成装置２０の設定において、予め設定されている一定時間の値を比較し、タイムアウトしているかどうかの判断の結果、タイムアウトしていない場合（S３０３の肯定結果。）、オートリセット機能は、再度、入力部２４が有する各種キー及び表示部２３が有するタッチパネルが押下されたかどうかの判定を繰り返す。
【０１０７】
また、オートリセット機能は、計測用のタイマーで計測した時間の値から、該画像形成装置２０の設定において、予め設定されている一定時間の値を比較し、タイムアウトしているかどうかの判断の結果、タイムアウトした場合（S３０３の否定結果。）、オートリセット機能は、利用者の利用許可状態を示すフラグをOFFに設定（S３０４）し、システムオートリセット機能を実行（S３０５）、最後に、表示部２３に利用者待ち状態の画面を表示する。
【０１０８】
以上のように、本発明の実施例１によれば、利用者が、画像形成装置２０を利用する際、ICカードを携行し、非接触ICカードリーダーが接続された該画像形成装置２０に近づくだけで、該画像形成装置２０へログオンすることが可能となるので、操作性が良く、ICカードリーダーからICカードを取り忘れる等の機密性を悪くする人為的なミスもない。
【０１０９】
また、非接触ICカードリーダーを使用することで、常時、該画像形成装置２０と対峙している利用者を検知することが可能となり、ICカード内のICタグから利用者情報（「利用者特定情報」を含む。）を読み取り、ログオン時の認証を行っているため、対峙する利用者が、該画像形成装置２０から離れた場合や、対峙する複数の利用者が存在する場合の不正利用を防止し、高い機密性を保持することができる。
【実施例２】
【０１１０】
図８は、本発明の実施例２に係る画像処理システムを示すブロック図である。
【０１１１】
図８に示す該画像処理システムでは、ホストPC（Personal Computer）１０、１０n、サーバ３０（「プリントサーバ」、「利用者管理サーバ」を含む。）及び該画像形成装置２０が、LAN（Local Area Network）、公衆回線及び無線回線等のネットワーク４０上に、接続されており、該画像形成装置２０は、該画像処理システム上において、ホストPC１０、１０nやサーバ３０との間で、ネットワークを介して、印刷データや印刷ジョブに関する情報（「利用者情報」を含む。）を双方向通信によって授受することができる。
【０１１２】
次に、本発明の実施例２に係る画像形成装置２０のハードウェア構成は、実施例１と同様の構成を有するため、図１を用いると共に、同一構成には、同一符号を付与して説明を省略する。
【０１１３】
図９は、本発明の実施例２に係る画像処理システムを示すブロック図である。
【０１１４】
主要部の構成は、機能的に、利用者情報登録手段５１、検知手段５２、認証手段５３、印刷データ受信手段６３、印刷手段６５に分かれている。
【０１１５】
上記機能の内、利用者情報登録手段５１、検知手段５２は、実施例１と同様であるため、説明を省略する。
【０１１６】
また、後述の実施例２に係る説明において使用される、画像形成装置に予め登録しておく利用者情報、画像形成装置に予め登録しておく利用者情報の登録手段の処理及びICカード内に格納される利用者情報については、実施例１と同様であるため、説明を省略し、実施例２に係る説明では、図３〜５を用いると共に、同一符号を付与して説明を省略する。
【０１１７】
印刷データ受信手段６３は、該画像形成装置２０が、ネットワーク４０を介して、ホストPC１０、１０nから送信される印刷データや印刷ジョブに関する情報（「利用者情報」を含む。）等を受信するものである。
【０１１８】
また、印刷データ受信手段６３は、印刷データをすべて受信したかどうかについて、受信データ用のリードバッファを監視することで判断するものである。
【０１１９】
印刷データや印刷ジョブに関する情報（「利用者情報」を含む。）等は、利用者が使用するホストPCから、該画像形成装置２０に対応したプリンタドライバーを介して作成され、送信される。
【０１２０】
認証手段６４は、利用者から送信された、印刷ジョブに関する情報に含まれる、利用者特定情報（「利用者ID」、「パスワード」。）と、検知手段５２で検知し読み取られた、該画像形成装置２０に対峙している利用者特定情報５２aと５２b、とを比較し、対峙している利用者が該画像形成装置２０の受信している印刷データを印刷可能かどうか判断するものである。
【０１２１】
認証手段６４は、利用者から送信された、印刷ジョブに関する情報に含まれる、利用者特定情報（「利用者ID」、「パスワード」。）と、検知手段５２で検知し読み取られた、該画像形成装置２０に対峙している利用者特定情報５２aと５２b、とを比較判定し、一致していた場合、機密印刷実行を認証するものである。
【０１２２】
また、印刷ジョブに関する情報は、図４に示す、利用者が携行するICカード内に格納される利用者情報を同一の要素（利用者ID５２a、パスワード５２b、データ数５２c、ファイル名５２d。）で構成されており、利用者がホストPC１０、１０nに接続されているICカードライターに、プリンタドライバーを介して、書き込まれると同時に、印刷ジョブに関する情報も作成され、印刷データの送信時に、ネットワーク４０を介して、サーバ３０や該画像形成装置２０へ送信される。
【０１２３】
よって、後述の実施例２に係る説明において使用される、印刷ジョブに関する情報については、図４を用いると共に、同一符号を付与して説明する。
【０１２４】
印刷手段６５は、利用者がホストPC１０、１０nから、該画像形成装置２０に対応したプリンタドライバーを介して作成、送信された印刷データや印刷ジョブに関する情報（「利用者情報」を含む。）を、印刷データ受信手段６３により受信し、検知手段５２によって、該画像形成装置に対峙している利用者を検知し、認証手段５３によって、該画像形成装置２０を利用可能と判断された利用者に対し、受信した印刷ジョブに関する情報（「利用者情報」を含む。）に基づいて、利用者の印刷データをリスト形式で表示部２３へ表示する。
【０１２５】
その結果、利用者は、表示部２３に表示されたリストから、印刷したいデータを入力部２４より選択し、印刷するものである。
【０１２６】
また、印刷手段６５は、利用者が機密印刷を行った場合に動作する。
【０１２７】
よって、送信された印刷データは、一時、該画像形成装置２０の補助記憶装置２６へ確保され、利用者からの入力部２３による印刷実行がなければ、印刷されない。
【０１２８】
また、印刷データを送信した利用者と、該画像形成装置に対峙する利用者とが異なる場合も、印刷されない。
【０１２９】
また、該画像形成装置２０に対して、対峙する利用者が存在せず利用者待ちの状態の場合や、複数の利用者が対峙して、一利用者に特定できない状態等の場合は、表示部２３へ利用者待ちの画面を表示する。
【０１３０】
図１０は、本発明の実施例２に係る印刷実行時におけるプリンタドライバーの設定及び利用者個人管理タグデータの更新手段の処理を示すフローチャートである。
【０１３１】
利用者が、該画像形成装置２０で、機密印刷を実行するためには、ホストPC１０、１０n上で動作している該画像形成装置２０に対応したプリンタドライバーから、ホストPC１０、１０nの画面に表示されるUI（user interface）を通して機密印刷の設定しなければならない。
【０１３２】
この際、利用者は、印刷データの作成と共に、UI上で、印刷ジョブに関する情報に含まれる利用者情報５２a〜dを、ホストPC１０、１０nに、USB等のデータ通信路で接続されたICカードライターを用いて、利用者が該画像形成装置２０を利用する際に携行するICカードのICタグに書き込むことができる。
【０１３３】
また、印刷ジョブに関する情報は、利用者の所持するICカードだけでなく、印刷データを送信する際、ネットワーク４０を関して、利用者情報を管理するサーバ３０へも送信され、サーバ内に、利用者毎のデータが格納される。
【０１３４】
また、図１０に示す処理は、印刷実行時におけるプリンタドライバーの設定及び利用者個人管理タグデータの更新手段に関するものであるため、該画像形成装置２０の制御部２２において動作する処理ではなく、ホストPC１０、１０n上で動作する処理である。
【０１３５】
まず、利用者は、ホストPC１０、１０n上で、アプリケーションを起動し、印刷したいデータを決定する（S４０１）。
【０１３６】
次に、利用者は、アプリケーションメニューから印刷機能を選択し、該画像形成装置２０に対応したプリンタドライバーを選択する（S４０２）。
【０１３７】
次に、利用者は、選択したプリンタドライバーのUIから、機密印刷を実行するか選択し設定を行う（S４０３）。
【０１３８】
利用者が、機密印刷実行を設定した場合（S４０３の肯定決定。）、プリンタドライバーは、利用者に対し、UI上で、利用者情報５２a〜dを入力する画面を表示し、利用者が利用者情報５２a〜dを入力後（S４０４）、ホストPC１０、１０nに接続されているICカードライターを介して、利用者のICカードのICタグに、利用者が入力した利用者情報５２a〜dを書き込む（S４０５）。
【０１３９】
次に、利用者がUI上の機密印刷設定に関する内容を確認し、印刷を実行（S４０６）。
【０１４０】
その後、プリンタドライバーは、印刷データと印刷ジョブに関する情報（「利用者情報」を含む。）を作成、該画像形成装置２０及びサーバ３０へ送信する（S４０７）。
【０１４１】
また、利用者が、機密印刷実行を設定しなかった場合（S４０５の否定決定。）、利用者が、印刷を実行（S４０８）。
【０１４２】
その後、プリンタドライバーは、印刷データ印刷ジョブに関する情報（「利用者情報」を含まない。）を作成、該画像形成装置２０へ送信する（S４０７）。
【０１４３】
図１１は、本発明の実施例２に係る印刷手段における処理を示すフローチャートである。
【０１４４】
また、図１１に示すプログラムは、上述の図９における説明の通り、利用者がホストPC１０、１０nから、該画像形成装置２０に対応したプリンタドライバーを介して作成、送信された印刷データや印刷ジョブに関する情報（「利用者情報」を含む。）を、印刷データ受信手段６３により受信し、検知手段５２によって、該画像形成装置に対峙している利用者を検知し、認証手段５３によって、該画像形成装置２０を利用可能と判断された利用者に対し、受信した印刷ジョブに関する情報（「利用者情報」を含む。）に基づいて、利用者の印刷データをリスト形式で表示部２３へ表示する。
【０１４５】
その結果、利用者は、表示部２３に表示されたリストから、印刷したいデータを入力部２４より選択し、印刷するものである。
【０１４６】
そのため、プリンタアプリケーションプログラム等のように、印刷データを受信後、制御部２２において、ROMからRAM上にプログラムが読み出され、実行されるものであり、該画像形成装置２０の制御プログラムのように、制御部２２及び主記憶部２５のRAM上等に常駐して動作しているプログラムではない。
【０１４７】
まず、該画像形成装置２０に、ネットワーク４０上のホストPC１０、１０nから、該画像形成装置２０のネットワークI/F２１を介して、印刷データが受信されると、制御部２２によって、ROM内に格納された図１１に示すプログラムが実行される。
【０１４８】
印刷手段６５は、印刷データ受信手段６３により、ネットワーク４０上のホストPC１０、１０nから送信された利用者の印刷データと印刷ジョブに関する情報（「利用者情報」を含む。）が、該画像形成装置２０のネットワークI/F２１を介して、すべて受信されたか判定する（S５０１）。
【０１４９】
印刷手段６５は、印刷データ受信手段６３により、利用者の印刷データと印刷データと印刷ジョブに関する情報（「利用者情報」を含む。）を、すべて受信していない場合（S５０１が否定結果。）、すべて受信するまで、再度、印刷データ受信手段６３により、受信データを監視（S５０１）し、受信し続ける。
【０１５０】
また、印刷手段６５は、利用者の印刷データと印刷データと印刷ジョブに関する情報（「利用者情報」を含む。）を、すべて受信した場合（S５０１が肯定結果。）、受信した印刷ジョブに関する情報（「利用者情報」を含む。）から、「機密印刷実行」が設定されているかを判定する（S５０２）。
【０１５１】
印刷手段６５は、「機密印刷実行」が設定されていなかった場合（S５０２が否定結果。）、利用者の対峙を待たず、受信した印刷ジョブに関する情報（「利用者情報」は含まない。）に基づき、表示部２３に印刷実行するファイル名を表示させ、印刷を実行する（S５１１）。
【０１５２】
また、印刷手段６５は、機密印刷実行が設定されていた場合（S５０２が肯定結果。）、利用者が機密印刷を実行しようとしていると見なし、受信した印刷ジョブに関する情報に含まれる利用者特定情報である利用者ID、パスワードを、利用者情報登録処理５１により、予め該画像形成装置２０の補助記憶装置２６に格納された、利用者特定情報である利用者ID５１a、パスワード５１bと照合し、印刷データを送信した利用者が、該画像形成装置２０の利用可能な利用者かどうかを判定する（S５０３）。
【０１５３】
印刷手段６５は、登録済み利用者情報との照合の結果、印刷データを送信した利用者が、未登録の場合（S５０３が否定結果。）、印刷データを送信した利用者が、該画像形成装置２０を利用することができないと判断し、印刷ジョブをキャンセルし、利用者から受信されたすべての印刷データ及び印刷ジョブに関する情報（「利用者情報」を含む。）を消去する（S５１２）。
【０１５４】
また、印刷手段６５は、登録済み利用者情報との照合の結果、印刷データを送信した利用者が、登録済みの場合（S５０３が肯定結果。）、受信した印刷ジョブに関する情報に含まれる利用者特定情報である利用者IDとパスワードを、一時的に、RAM上へ格納する（S５０４）。
【０１５５】
次に、印刷手段６５は、検知手段５２により、該画像形成装置２０に対峙する利用者の検知し、接続された外部装置２９からの利用者情報５２a〜dの取得を待つ（S５０５）。
【０１５６】
印刷手段６５は、検知手段５２により、対峙する利用者が検知されない場合（S５０５が否定結果。）、検知手段５２により、再度、利用者待ちの状態（S５０５）へ戻る。
【０１５７】
また、印刷手段６５は、検知手段５２により、対峙する利用者が検知された場合（S５０５が肯定結果。）、検知手段５２により取得した、利用者特定情報である利用者ID５２aとパスワード５２bを、利用者情報登録手段５１により、該画像形成装置２０の補助記憶装置２６へ、予め登録されている利用者特定情報である利用者ID５１aとパスワード５１bと照合し、現在、該画像形成装置２０に対峙している利用者が、該画像形成装置２０の利用可能な利用者かどうかを判定する（S５０６）。
【０１５８】
印刷手段６５は、登録済み利用者情報との照合の結果、現在、該画像形成装置２０に対峙している利用者が、未登録の場合（S５０６が否定結果。）、表示部２３に、利用者待ちを示すログオン画面が表示（S５１３）する。
【０１５９】
このことによって、印刷手段６５は、対峙している利用者に対し、利用不可状態を認知させる。
【０１６０】
その後、印刷手段６５は、検知手段５２により、再度、利用者待ちの状態へ戻る（S５０５）。
【０１６１】
また、印刷手段６５は、登録済み利用者情報との照合の結果、現在、該画像形成装置２０に対峙している利用者が、登録済みの場合（S２０３が肯定結果。）、認証手段６４により、該画像形成装置２０に対峙している利用者が、受信している印刷データの送信者であるかどうかを判定し、機密印刷実行の認証を行う（S５０７）。
【０１６２】
印刷手段６５は、認証手段６４による認証判定の結果、一致していないと判定した場合（S５０７が否定結果。）、検知手段５２により、再度、利用者待ちの状態へ戻る（S５０５）。
【０１６３】
また、印刷手段６５は、認証手段６４による認証判定の結果、一致していると判定した場合（S５０７が否定結果。）、該画像形成装置２０に対峙する利用者が複数存在した場合に対し、特定の利用者に、該画像形成装置２０の利用許可を限定するため、検知手段５２により、複数の利用者を検知したかどうかの判定を行う（S５０８）。
【０１６４】
印刷手段６５は、検知手段５２による複数利用者の判定の結果、複数の利用者を検知した場合（S５０８が否定結果。）、該画像形成装置２０に対峙した複数の利用者が存在することに対し、表示部２３に、利用者が特定できないことを警告する内容を表示する（S５１４）。
【０１６５】
次に、印刷手段６５は、現在、使用中の利用者の許可状態を示すフラグをペンディング（S５１５）し、検知手段５２により、利用者が一意に特定できるまで、再度、利用者待ちの状態（S５０５）へ戻り、利用者の対峙状態を監視する。
【０１６６】
これによって、印刷手段６５は、複数の利用者に対しては、利用許可されず、誤検知や対峙する複数の利用者による不正利用を防止することができる。
【０１６７】
また、印刷手段６５は、検知手段５２による複数利用者の判定の結果、複数の利用者が検知されなかった場合（S５０８が肯定結果。）、対峙している利用者が一意に特定され、対峙した利用者と印刷データの送信者が一致したと見なし、利用者に対して、受信した印刷ジョブに関する情報（「ファイル名」等を含む。）基づいて、利用者の印刷データをリスト形式で表示部２３へ表示し（S５０９）、表示部２３に表示されたリストから、利用者により、印刷したいデータが選択（S５１０）され、印刷する（S５１１）。
【０１６８】
以上のように、本発明の実施例２によれば、利用者が、画像形成装置２０に対して、機密印刷を実行する際、ICカードを携行し、非接触ICカードリーダーが接続された該画像形成装置２０に近づくだけで、該画像形成装置２０へログオンすることが可能となり、さらに、対峙している利用者と印刷データの送信者を自動的に判定し、入力部２４におけるパスワード入力も必要なくなるため、利用者にとって操作性が良く、ICカードリーダーからICカードを取り忘れる等の機密性を悪くする人為的なミスもない。
【０１６９】
また、非接触ICカードリーダーを使用することで、常時、該画像形成装置２０と対峙している利用者を検知することが可能となり、ICカード内のICタグから利用者情報（「利用者特定情報」を含む。）を読み取り、機密印刷時の認証を行っているため、対峙する利用者が、該画像形成装置２０から離れた場合や、対峙する複数の利用者が存在する場合の不正印刷を防止し、高い機密性を保持することができる。
【０１７０】
各実施例に挙げた、該画像形成装置２０と対峙する利用者との間で、無線により利用者情報５２a〜dの送受信を行う方法については、ICカードのICタグ及びICカードリーダーを使用する方法の他、Bluetooth（登録商標）や赤外線通信（IrDA）等を使用しても良い。
【０１７１】
最後に、各実施例に基づき本発明の説明を行ってきたが、上記実施例に挙げた形状に、その他の要素との組み合わせ等、ここで示した要件に、本発明が限定されるものではない。
【０１７２】
これらの点に関しては、本発明の主旨をそこなわない範囲で変更することが可能であり、その応用形態に応じて適切に定めることができる。
【図面の簡単な説明】
【０１７３】
【図１】本発明の実施例１及び実施例２に係る画像形成装置のハードウェア構成を表すブロック図である。
【図２】本発明の実施例１に係る主要部の構成を示すブロック図である。
【図３】本発明の実施例１及び実施例２に係る画像形成装置に予め登録しておく利用者情報を示す図である。
【図４】本発明の実施例１及び実施例２に係るICカード内に格納される利用者情報を示す図である。
【図５】本発明の実施例１及び実施例２に係る画像形成装置に予め登録しておく利用者情報の登録手段の処理を示すフローチャートである。
【図６】本発明の実施例１に係る利用可能機能表示手段の処理を示すフローチャートである。
【図７】本発明の実施例１に係るオートリセット機能実行時の一部の処理を示すフローチャートである。
【図８】本発明の実施例２に係る画像処理システムを示すブロック図である。
【図９】本発明の実施例２に係る印刷手段の主要部の構成を示すブロック図である。
【図１０】本発明の実施例２に係る印刷実行時におけるプリンタドライバーの設定及び利用者個人管理タグデータの更新手段の処理を示すフローチャートである。
【図１１】本発明の実施例２に係る印刷手段を示すフローチャートである。
【符号の説明】
【０１７４】
１０、１０n ホストPC
２１ ネットワークI/F
２２ 制御部
２３ 表示部
２４ 入力部
２５ 主記憶部
２６ 補助記憶装置
２７ 外部装置I/F
２８ 印刷部
２９ 外部装置
２９a データ転送路
３０ サーバ
４０ ネットワーク
【図１】
2007214700.tif 000003
【図２】
2007214700.tif 000004
【図３】
2007214700.tif 000005
【図４】
2007214700.tif 000006
【図５】
2007214700.tif 000007
【図６】
2007214700.tif 000008
【図７】
2007214700.tif 000009
【図８】
2007214700.tif 000010
【図９】
2007214700.tif 000011
【図１０】
2007214700.tif 000012
【図１１】
2007214700.tif 000013